(57)【要約】      （修正有）【課題】カーゴタンク、バラストタンクあるいは飲料水タンクのサンプリング及び目視検査、又は、液面計あるいは液面警報装置等のメンテナンスを簡単に行うことができる水密カバーを提供する。【解決手段】甲板の上に突出された立ち上げ管２の管開口部に取り付けるための取付部材１０と、管開口部を閉鎖するための閉鎖部材２０と、閉鎖部材２０を取付部材１０に対して固定するための固定部材３０とを備える。閉鎖部材２０は、蓋２１と、蓋２１を開閉可能に支持するアーム２２とを有し、アーム２２は一端部が取付部材１０に対して回動可能に配設され、他端部には固定部材３０を係止するための係止部２７が設けられている。固定部材３０は、取付部材１０に対して回動可能に配設されたヒンジボルト３１と、ヒンジボルト３１に配設されたナット３２とを有している。【選択図】図１
2011157008.tif 000002
【特許請求の範囲】
【請求項１】
一端部が船舶のタンクに連結し、他端部が甲板の上に突出された立ち上げ管に対して配設され、前記立ち上げ管の管開口部を閉鎖することにより前記立ち上げ管を密閉する水密カバーであって、
前記管開口部に設けられた取付フランジに取り付けるためのカバー取付フランジ、及び、前記管開口部に連通するカバー開口部を有する取付部材と、
前記カバー開口部を閉鎖する蓋、及び、この蓋を前記カバー開口部に対して開閉可能に支持するアームを有する閉鎖部材と、
前記取付部材に対して回動可能に配設され、前記閉鎖部材を前記取付部材に対して固定するための固定部材とを備え、
前記アームは一端部が前記取付部材に対して回動可能に配設され、他端部には前記固定部材を係止するための係止部が設けられ、
前記固定部材は、前記取付部材に対して回動可能に配設されたヒンジボルト、及び、このヒンジボルトに配設されたナットを有する
ことを特徴とする水密カバー。
【請求項２】
前記ナットは、対向する一対の平面よりなる平側面と、この一対の平側面の対向する端部をそれぞれ結ぶように設けられた一対の曲面よりなる曲側面とを有することを特徴とする請求項１記載の水密カバー。
【請求項３】
前記固定部材は、前記ナットとの間に間隔を開けて外周を覆うように設けられた保護部材を有することを特徴とする請求項１又は請求項２に記載の水密カバー。
【発明の詳細な説明】
【技術分野】
【０００１】
本発明は、船舶のタンクに連結された立ち上げ管を密閉する水密カバーに関する。
【背景技術】
【０００２】
船舶では、カーゴタンク及びバラストタンク等に液面計又は液面警報装置等を設置してタンク内の液面を管理している。これら液面計又は液面警報装置等は、例えば、一端部が船舶のタンクに連結し、他端部が甲板の上に突出された立ち上げ管内に配設されている。立ち上げ管には、液面計又は液面警報装置等のメンテナンスを行うための管開口部が設けられており、通常時は、板状の盲フランジを管開口部に設けられた取付フランジに対して例えば８本のねじで固定することにより閉鎖している。
【０００３】
また、カーゴタンク、バラストタンク又は飲料水タンクでは、例えば、タンク内液を直接サンプリングして検査したり、タンク内を目視で検査するための立ち上げ管が設けられている（特許文献１参照）。この立ち上げ管にも、サンプリング又は目視検査のための管開口部が設けられており、通常時は、板状の盲フランジで閉鎖している。
【先行技術文献】
【特許文献】
【０００４】
【特許文献１】特開２００９−１２０２０４号公報
【発明の概要】
【発明が解決しようとする課題】
【０００５】
しかしながら、メンテナンス又はサンプリング等の度に、盲フランジを外したり留めたりするのは面倒であるという問題があった。特に、近年は、海洋環境が問題となっており、バラスト水のサンプリングを行う必要性が高まっている。
【０００６】
本発明は、このような問題に基づき開発されたものであり、カーゴタンク内、バラストタンク内あるいは飲料水タンク内のサンプリング及び目視検査、又は、液面計あるいは液面警報装置等のメンテナンスを簡単に行うことができる水密カバーを提供することにある。
【課題を解決するための手段】
【０００７】
本発明に係る水密カバーは、一端部が船舶のタンクに連結し、他端部が甲板の上に突出された立ち上げ管に対して配設され、立ち上げ管の管開口部を閉鎖することにより立ち上げ管を密閉する水密カバーであって、管開口部に設けられた取付フランジに取り付けるためのカバー取付フランジ、及び、管開口部に連通するカバー開口部を有する取付部材と、カバー開口部を閉鎖する蓋、及び、この蓋をカバー開口部に対して開閉可能に支持するアームを有する閉鎖部材と、取付部材に対して回動可能に配設され、閉鎖部材を取付部材に対して固定するための固定部材とを備え、アームは一端部が取付部材に対して回動可能に配設され、他端部には固定部材を係止するための係止部が設けられ、固定部材は、取付部材に対して回動可能に配設されたヒンジボルト、及び、このヒンジボルトに配設されたナットを有するものである。
【発明の効果】
【０００８】
本発明の水密カバーによれば、カバー開口部を閉鎖する蓋をアームにより支持し、アームの一端部を取付部材に対して回動可能に配設すると共に、他端部に係止部を設け、固定部材により固定するようにしたので、固定部材を係止部から外し、アームを回動させることにより、簡単に蓋を開けることができる。また、逆に、アームを回動させて係止部を固定部材により固定することにより、簡単に蓋を閉めることができる。よって、ワンタッチで蓋を開閉することができ、簡単に、カーゴタンク内、バラストタンク内あるいは飲料水タンク内のサンプリングあるいは目視検査、又は、液面計あるいは液面警報装置等のメンテナンスを行うことができる。
【０００９】
また、ナットが、対向する一対の平面よりなる平側面と、この一対の平側面の対向する端部をそれぞれ結ぶように設けられた一対の曲面よりなる曲側面とを有するようにすれば、ナットの形状に合わせた専用ハンドルを用いてナットを回転させるようにすることができる。
【００１０】
更に、ナットとの間に間隔を開けて外周を覆うように保護部材を設けるようにすれば、ナットをスパナなどの工具を用いて強制的に回転させて蓋が開けられることを防止することができる。よって、専用ハンドルを用いなければ蓋を開けることができず、海賊対策とすることができる。
【図面の簡単な説明】
【００１１】
【図１】本発明の一実施の形態に係る水密カバーの構成を表す図である。
【図２】図１に示した水密カバーの断面構造を表す図である。
【図３】図１に示した水密カバーをＩ方向から見た構成を表す図である。
【図４】図１に示した水密カバーをＩＩ方向から見た構成を表す図である。
【図５】図１に示したナットの構成を拡大して表す図である。
【図６】図１に示した水密カバーの動作を説明するための図である。
【図７】図６に続く動作を説明するための図である。
【発明を実施するための形態】
【００１２】
以下、本発明の実施の形態について、図面を参照して詳細に説明する。
【００１３】
図１は、本発明の一実施の形態に係る水密カバー１の構成を表すものであり、図２は断面構造を表すものであり、図３はＩ方向から見た構造を表すものであり、図４はＩＩ方向から見た構造を表すものである。なお、図２は、図３に示したＩＩＩ−ＩＩＩ線に沿った断面構造を表している。
【００１４】
この水密カバー１は、一端部が船舶のタンクに連結し、他端部が甲板の上に突出された立ち上げ管２に対して配設され、立ち上げ管２に設けられた管開口部２Ａを閉鎖することにより立ち上げ管２を密閉するものである。この水密カバー１は、立ち上げ管２に対して取り付けるための取付部材１０と、管開口部２Ａを閉鎖するための閉鎖部材２０と、閉鎖部材２０を取付部材１０に対して固定するための固定部材３０とを備えている。
【００１５】
取付部材１０は、管開口部２Ａに設けられた取付フランジ２Ｂに取り付けるためのカバー取付フランジ１１を有している。カバー取付フランジ１１には、例えば、複数の貫通孔１２が設けられており、カバー取付フランジ１１は取付ボルト１３等により取付フランジ２Ｂに固定される。カバー取付フランジ１１の内側には、管開口部２Ａに連通するカバー開口部１４が設けられている。カバー開口部１４の周りは、閉鎖部材２０が当接する当接領域となっており、Ｏリングなどのシール部材１５が配設されている。カバー取付フランジ１１には、また、閉鎖部材２０の側に、例えば、閉鎖部材２０を回動可能に支持する閉鎖部材支持部１６、及び、固定部材３０を回動可能に支持する固定部材支持部１７が配設されている。
【００１６】
閉鎖部材２０は、カバー開口部１４を閉鎖する蓋２１と、この蓋２１をカバー開口部１４に対して開閉可能に支持するアーム２２とを有している。蓋２１は、例えば平板状であり、例えば取付部材１０の側の表面には、中心部から外側に向かい複数の突条部２３が設けられている。蓋２１の強度を向上させるためである。蓋２１は、例えば、取付部材１０と反対側の中心部において接合部２４によりアーム２２と結合されている。
【００１７】
アーム２２は、一方向に伸長されており、例えば、一端部に設けられたアーム回転軸２５により閉鎖部材支持部１６に対して回動可能に配設されている。アーム２２の一端部には、例えば、突起部２６が設けられており、アーム２２がアーム回転軸２５を中心として回動した際に、カバー取付フランジ１１からアーム２２の側に突出されたアーム停止部１８に当接して、アーム２２の回動を停止させるようになっている。アーム２２の一端部と反対側の他端部には、固定部材３０を係止するための係止部２７が設けられている。係止部２７には、先端から一端部側に向かい、固定部材３０を間に挟んで係止する切込み２８が設けられている。係止部２７の先端は、取付部材１０と反対側に向かって傾斜している。固定部材３０を確実に係止するためである。また、アーム２２には、例えば、厚みを薄くするための複数の凹部２９が設けられている。強度を確保しつつ重さを軽くするためである。
【００１８】
固定部材３０は、取付部材１０に対して配設されたヒンジボルト３１と、このヒンジボルト３１に配設されたナット３２とを有している。ヒンジボルト３１は、例えば、ヒンジボルト回転軸３３により固定部材支持部１７に対して回動可能に配設されている。ナット３２は、例えば、図５に示したように、対向する一対の平行な平面よりなる平側面３２Ａと、この一対の平側面３２Ａの対向する端部をそれぞれ結ぶように設けられた一対の曲面よりなる曲側面３２Ｂとを有していることが好ましい。このような形状とすることにより、ナット３２を回転させるにはナット３２の形状に合わせた専用ハンドルを必要とすることができるからである。なお、図５において、（Ａ）は平側面３２Ａを正面にして見た図であり、（Ｂ）は（Ａ）に示したＩＶ方向から見た図である。
【００１９】
また、ナット３２の周りには、例えば、ナット３２との間に間隔を開けてナット３２の外周を覆うように保護部材３４が設けられることが好ましい。ナット３２をスパナなどの一般工具を用いて強制的に回転させることを防止することができ、海賊対策となるからである。保護部材３４の係止部２７と反対側は、ナット３２の専用ハンドルを挿入することができるように開口されている。保護部材３４の係止部２７の側には、例えば、係止部２７の側面に沿うように突出された回転防止部３５が設けられていることが好ましい。
【００２０】
この水密カバー１は、立ち上げ管２の管開口部２Ａに対して配設して用いられる。通常時は、例えば図１に示したように、閉鎖部材２０を閉めて立ち上げ管２を密閉する。また、立ち上げ管２の内に配設された液面計あるいは液面警報装置等のメンテナンスを行う際、又は、カーゴタンク、バラストタンク、あるいは飲料水タンクのタンク内液をサンプリングする際、又は、タンク内を目視検査等する際には、閉鎖部材２０を開ける。
【００２１】
図６及び図７は、水密カバー１の動作を表すものである。蓋２１を開ける際には、まず、例えば図６に示したように、ナット３２を専用ハンドル４０を用いて回転させ、緩める。次いで、例えば図７に示したように、保護部材３４を持ち上げながら、ヒンジボルト３１をヒンジボルト回転軸３３を中心として回転させて係止部２７から倒し、アーム２２をアーム回転軸２５を中心として回転させて蓋２１を持ち上げる。蓋２１は、突起部２６がアーム停止部１８に当接するまで開く。
【００２２】
蓋２１を閉める際には、逆に、アーム２２をアーム回転軸２５を中心として回転させて蓋２１を取付部材１０に当接させて閉める。次いで、ヒンジボルト３１をヒンジボルト回転軸３３を中心として回転させて係止部２７の切込み２８に挿入し、保護部材３４の回転防止部３５を係止部２７に当接させて係止する。続いて、専用ハンドル４０を用いてナット３２を回転させ、締める。すなわち、１つのナット３２を緩めたり締めたりするだけで、蓋２１が簡単に開閉される。
【００２３】
このように、本実施の形態に係る水密カバー１によれば、カバー開口部１４を閉鎖する蓋２１をアーム２２により支持し、アーム２２の一端部を取付部材１０に対して回動可能に配設すると共に、他端部に係止部２７を設け、固定部材３０により固定するようにしたので、固定部材３０を係止部２７から外し、アーム２２を回動させることにより、簡単に蓋２１を開けることができる。また、逆に、アーム２２を回動させて係止部２７を固定部材３０により固定することにより、簡単に蓋２１を閉めることができる。よって、ワンタッチで蓋２１を開閉することができ、簡単に、カーゴタンク内、バラストタンク内あるいは飲料水タンク内のサンプリングあるいは目視検査、又は、液面計あるいは液面警報装置等のメンテナンスを行うことができる。
【００２４】
また、ナット３２が、対向する一対の平面よりなる平側面３２Ａと、この一対の平側面３２Ａの対向する端部をそれぞれ結ぶように設けられた一対の曲面よりなる曲側面３２Ｂとを有するようにすれば、ナット３２の形状に合わせた専用ハンドルを用いてナット３２を回転させるようにすることができる。
【００２５】
更に、ナット３２との間に間隔を開けて外周を覆うように保護部材３４を設けるようにすれば、ナット３２をスパナなどの一般工具を用いて強制的に回転させて蓋２１が開けられることを防止することができる。よって、専用ハンドルを用いなければ蓋２１を開けることができず、海賊対策とすることができる。
【００２６】
以上、実施の形態を挙げて本発明を説明したが、本発明は上記実施の形態に限定されるものではなく、種々変形可能である。例えば、上記実施の形態では、立ち上げ管２の頂部に管開口部２Ａが設けられている場合について図示したが、立ち上げ管２の側部に管開口部２Ａが設けられていてもよく、立ち上げ管２の側部に設けられた管開口部２Ａに対して水密カバー１を配設するようにしてもよい。例えば、カーゴタンク、バラストタンクあるいは飲料水タンクのサンプリング、又は、目視検査をする場合には、立ち上げ管２の頂部に水密カバー１を配設した方が作業しやすく、液面計あるいは液面警報装置等のメンテナンスをする場合には、立ち上げ管２の側部に水密カバー１を配設した方が作業しやすい。
【産業上の利用可能性】
【００２７】
船舶に用いることができる。
【符号の説明】
【００２８】
１…水密カバー、２…立ち上げ管、２Ａ…管開口部、２Ｂ…取付フランジ、１０…取付部材、１１…カバー取付フランジ、１２…貫通孔、１３…取付ボルト、１４…カバー開口部、１５…シール部材、１６…閉鎖部材支持部、１７…固定部材支持部、１８…アーム停止部、２０…閉鎖部材、２１…蓋、２２…アーム、２３…突条部、２４…接合部、２５…アーム回転軸、２６…突起部、２７…係止部、２８…切込み、２９…凹部、３０…固定部材、３１…ヒンジボルト、３２…ナット、３２Ａ…平側面、３２Ｂ…曲側面、３３…ヒンジボルト回転軸、３４…保護部材、３５…回転防止部
【図１】
2011157008.tif 000003
【図２】
2011157008.tif 000004
【図３】
2011157008.tif 000005
【図４】
2011157008.tif 000006
【図５】
2011157008.tif 000007
【図６】
2011157008.tif 000008
【図７】
2011157008.tif 000009